(57)【特許請求の範囲】
【請求項１】
各々波長の異なる光を射出する３種類以上の光源と、
前記光源により射出された３種類以上の射出光を所定走査方向に偏向する偏向手段と、
前記偏向手段により偏向された前記３種類以上の射出光が透過可能に配置され、前記３種類以上の射出光のうちの２種類の射出光の色収差の特性が略同一とされた走査レンズと、
前記２種類の射出光と前記２種類以外の射出光との露光面における走査長を略同一とするように周波数が各々決定された前記２種類の射出光用の走査クロックと前記２種類以外の射出光用の走査クロックとを生成するクロック生成手段と、
画像データと前記２種類の射出光用の走査クロックとに基づいて前記２種類の射出光を変調すると共に、画像データと前記２種類以外の射出光用の走査クロックとに基づいて前記２種類以外の射出光を変調する変調手段と、
を備えた画像露光装置。
【請求項２】
前記変調手段は、音響光学変調素子、電気光学変調素子、磁気光学変調素子の何れかである請求項１記載の画像露光装置。
【請求項３】
前記２種類の射出光は、前記３種類以上の射出光のうちの互いに波長が最も離れた射出光である請求項１又は請求項２記載の画像露光装置。
【発明の詳細な説明】
【０００１】
【発明の属する技術分野】
本発明は、画像露光装置に係り、特に、画像データに基づいて各々波長の異なる３種類以上の射出光を感光材料上に照射して潜像を形成する画像露光装置に関する。
【０００２】
【従来の技術】
近年、写真フィルムに記録された画像を印画紙（感光材料）に記録するディジタルラボシステム等における像の書込みには、レーザ光を発生する光源を用いて印画紙を走査露光する画像露光装置が広く用いられている。
【０００３】
このような従来の画像露光装置は、Ｒ（赤）、Ｇ（緑）、Ｂ（青）の各色のレーザ光を発生する光源を備えており、カラー画像データに基づいてＲ、Ｇ、Ｂ各色毎にレーザ光を変調し、該レーザ光をポリゴンミラー等の偏向器により主走査方向に偏向すると共に印画紙を副走査方向に搬送し、ｆθレンズを通過させて印画紙上を走査露光し、カラー画像を記録していた。
【０００４】
このように、従来の画像露光装置では、光源から射出したレーザ光をｆθレンズを通過させているので、ｆθレンズの色収差により、各レーザ光毎に露光面上の走査長が異なって色ずれが発生する、という問題点があった。なお、上記色収差は、光の波長の大きさに応じてガラス（レンズ）の屈折率が変化するために、近軸光線以外の光線による像の位置及び大きさが波長によって変化するものである。
【０００５】
この問題点を解消するための従来の技術として、特開平９−１１５３８号公報に記載の技術では、画素を書込む時間間隔（周期）を各レーザ光毎に調整することにより走査長を一致させると共に、書込み開始位置を各レーザ光で一致させることにより画像品質を向上させていた。
【０００６】
また、これ以外の従来技術としては、Ｒ、Ｇ、Ｂの３色全てのレーザ光の色収差を補正するレンズ（色消レンズ）を製作して適用する技術があった。
【０００７】
【発明が解決しようとする課題】
しかしながら、上記特開平９−１１５３８号公報に記載の技術では、各レーザ光毎に画素を書込む時間間隔を調整しているため、積分器、位相比較器、電圧制御発振器等により構成されるフェイズ・ロックド・ループ回路等の複雑な構成の回路が必要であり、装置全体のコストが高くなる、という問題点があった。
【０００８】
一方、上記Ｒ、Ｇ、Ｂの３色全てのレーザ光の色収差を補正する色消レンズを製作して適用する技術では、該色消レンズを製作する際の調整、工数等が多大となり、結果的に上記問題点と同様に装置全体のコストが高くなる、という問題点があった。また、従来主走査長は２１０ｍｍ程度であるが、主走査長を長くする（例えば、２５４ｍｍ）と、収差が大きいｆθレンズの周辺部分をレーザ光が通過することになるため、色収差を光学的に補正するのが困難になる。
【０００９】
本発明は上記問題点を解消するために成されたものであり、低コストに色ずれの発生を防止することができる画像露光装置を提供することを目的とする。
【００１０】
【課題を解決するための手段】
上記目的を達成するために、請求項１記載の画像露光装置は、各々波長の異なる光を射出する３種類以上の光源と、前記光源により射出された３種類以上の射出光を所定走査方向に偏向する偏向手段と、前記偏向手段により偏向された前記３種類以上の射出光が透過可能に配置され、前記３種類以上の射出光のうちの２種類の射出光の色収差の特性が略同一とされた走査レンズと、前記２種類の射出光と前記２種類以外の射出光との露光面における走査長を略同一とするように周波数が各々決定された前記２種類の射出光用の走査クロックと前記２種類以外の射出光用の走査クロックとを生成するクロック生成手段と、画像データと前記２種類の射出光用の走査クロックとに基づいて前記２種類の射出光を変調すると共に、画像データと前記２種類以外の射出光用の走査クロックとに基づいて前記２種類以外の射出光を変調する変調手段と、を備えている。
【００１１】
請求項１に記載の画像露光装置によれば、３種類以上の光源により、各々波長の異なる光が射出され、射出された３種類以上の射出光は偏向手段により所定走査方向に偏向される。この偏向によって、上記３種類以上の射出光の主走査が行われる。その後、偏向手段により偏向された３種類以上の射出光は、該３種類以上の射出光のうちの２種類の射出光の色収差の特性が略同一とされた走査レンズを透過し、印画紙等の感光材料の露光面に到達することにより走査露光が成される。このとき、変調手段によって、上記２種類の射出光は画像データと上記２種類の射出光用の走査クロックとに基づいて変調されると共に、上記２種類以外の射出光は画像データと上記２種類以外の射出光用の走査クロックとに基づいて変調される。
【００１２】
この際の走査露光に用いられる上記２種類の射出光用の走査クロックと上記２種類以外の射出光用の走査クロックとは、クロック生成手段によって上記２種類の射出光と上記２種類以外の射出光との露光面における走査長を略同一とするように周波数が決定されて生成されている。
【００１３】
このように、請求項１に記載の画像露光装置によれば、２種類の射出光の色収差の特性が略同一とされた走査レンズによって該２種類の射出光の露光面での走査長が略同一とされ、さらに該２種類の射出光用の走査クロックと該２種類以外の射出光用の走査クロックとの各々の周波数が、該２種類の射出光と該２種類以外の射出光との露光面における走査長が略同一となるように決定されることにより、簡易に全ての射出光の露光面での走査長が略同一とされるので、各レーザ光毎に画素を書込む時間間隔を調整する場合及びＲ、Ｇ、Ｂの３色全てのレーザ光の色収差を補正する色消レンズを製作して適用する場合に比較して、低コストに色ずれの発生を防止することができる。
【００１４】
なお、請求項１記載の画像露光装置における変調手段は、音響光学変調素子、電気光学変調素子、磁気光学変調素子の何れかを用いることができる。
【００１５】
また、請求項１又は請求項２記載の画像露光装置における前記２種類の射出光は、前記３種類以上の射出光のうちの互いに波長が最も離れた射出光であることが好ましい。このように、走査レンズにおける色収差の特性を略同一とする２種類の射出光を選択することにより、走査レンズを容易に製作することができる。
【００１６】
【発明の実施の形態】
以下、図面を参照して本発明の画像露光装置をディジタルラボシステムに適用した場合の実施形態について詳細に説明する。なお、以下では、まず本実施形態に係るディジタルラボシステムについて説明する。
【００１７】
（システム全体の概略構成）
図１には本実施形態に係るディジタルラボシステム１０の概略構成が示されており、図２にはディジタルラボシステム１０の外観が示されている。図１に示すように、このラボシステム１０は、ラインＣＣＤスキャナ１４、画像処理部１６、レーザプリンタ部１８、及びプロセッサ部２０を含んで構成されており、ラインＣＣＤスキャナ１４と画像処理部１６は、図２に示す入力部２６に設けられており、レーザプリンタ部１８及びプロセッサ部２０は、図２に示す出力部２８に設けられている。
【００１８】
ラインＣＣＤスキャナ１４は、ネガフィルムやリバーサルフィルム等の写真フィルムに記録されているフィルム画像を読み取るためのものであり、例えば１３５サイズの写真フィルム、１１０サイズの写真フィルム、及び透明な磁気層が形成された写真フィルム（２４０サイズの写真フィルム：所謂ＡＰＳフィルム）、１２０サイズ及び２２０サイズ（ブローニサイズ）の写真フィルムのフィルム画像を読取対象とすることができる。ラインＣＣＤスキャナ１４は、上記の読取対象のフィルム画像をラインＣＣＤで読み取り、画像データを出力する。なお、上記のラインＣＣＤスキャナ１４に代えて、エリアＣＣＤによってフィルム画像を読み取るエリアＣＣＤスキャナを設けてもよい。
【００１９】
画像処理部１６は、ラインＣＣＤスキャナ１４から出力された画像データ（スキャン画像データ）が入力されると共に、デジタルカメラでの撮影によって得られた画像データ、フィルム画像以外の原稿（例えば反射原稿等）をスキャナで読み取ることで得られた画像データ、コンピュータで生成された画像データ等（以下、これらをファイル画像データと総称する）を外部から入力する（例えば、メモリカード等の記憶媒体を介して入力したり、通信回線を介して他の情報処理機器から入力する等）ことも可能なように構成されている。
【００２０】
画像処理部１６は、入力された画像データに対して各種の補正等の画像処理を行って、記録用画像データとしてレーザプリンタ部１８へ出力する。また、画像処理部１６は、画像処理を行った画像データを画像ファイルとして外部へ出力する（例えばメモリカード等の記憶媒体に出力したり、通信回線を介して他の情報処理機器へ送信する等）ことも可能である。
【００２１】
レーザプリンタ部１８はＲ、Ｇ、Ｂのレーザ光を発振するレーザ光源を備えており、画像処理部１６から入力された記録用画像データに応じて変調したレーザ光を印画紙に照射して、走査露光によって印画紙に画像を記録する。また、プロセッサ部２０は、レーザプリンタ部１８で走査露光によって画像が記録された印画紙に対し、発色現像、漂白定着、水洗、乾燥の各処理を施す。これにより、印画紙上に画像が形成される。
【００２２】
（ラインＣＣＤスキャナの構成）
次にラインＣＣＤスキャナ１４の構成について説明する。図３にはラインＣＣＤスキャナ１４の光学系の概略構成が示されている。この光学系は、ハロゲンランプやメタルハライドランプ等から成り写真フィルム２２に光を照射する光源３０を備えており、光源３０の光射出側には、写真フィルム２２に照射する光を拡散光とする光拡散ボックス３６が配置されている。
【００２３】
写真フィルム２２は、光拡散ボックス３６の光射出側に配置されたフィルムキャリア３８（図５参照、図３では図示省略）によって光軸と直交する方向に搬送される。なお、図３では長尺状の写真フィルム２２を示しているが、１コマ毎にスライド用のホルダに保持されたスライドフィルム（リバーサルフィルム）やＡＰＳフィルムについては、各々専用のフィルムキャリアが用意されており（ＡＰＳフィルム用のフィルムキャリアは磁気層に磁気記録された情報を読み取る磁気ヘッドを有している）、これらの写真フィルムを搬送することも可能である。
【００２４】
また、光源３０と光拡散ボックス３６との間には、Ｃ（シアン）、Ｍ（マゼンタ）、Ｙ（イエロー）の調光フィルタ１１４Ｃ、１１４Ｍ、１１４Ｙが射出光の光軸に沿って順に設けられており、写真フィルム２２を挟んで光源３０と反対側には、光軸に沿って、フィルム画像を透過した光を結像させるレンズユニット４０、ラインＣＣＤ１１６が順に配置されている。図３ではレンズユニット４０として単一のレンズのみを示しているが、レンズユニット４０は、実際には複数枚のレンズから構成されたズームレンズである。
【００２５】
ラインＣＣＤ１１６は、ＣＣＤセルから成る光電変換素子が一列に多数配置されかつ電子シャッタ機構が設けられたセンシング部が、間隔を空けて互いに平行に３ライン設けられており、各センシング部の光入射側にＲ、Ｇ、Ｂの色分解フィルタの何れかが各々取付けられて構成されている（所謂３ラインカラーＣＣＤ）。ラインＣＣＤ１１６は、各センシング部の受光面がレンズユニット４０の結像位置に一致するように配置されている。また、各センシング部の近傍には、転送部が各センシング部に対応して各々設けられており、各センシング部の各ＣＣＤセルに蓄積された電荷は、対応する転送部を介して順に転送される。また図示は省略するが、ラインＣＣＤ１１６とレンズユニット４０との間にはシャッタが設けられている。
【００２６】
図４にはラインＣＣＤスキャナ１４の電気系の概略構成が示されている。ラインＣＣＤスキャナ１４は、ラインＣＣＤスキャナ１４全体の制御を司るマイクロプロセッサ４６を備えている。マイクロプロセッサ４６には、バス６２を介してＲＡＭ６４（例えばＳＲＡＭ）、ＲＯＭ６６（例えば記憶内容を書換え可能なＲＯＭ）が接続されると共に、モータドライバ４８が接続されており、モータドライバ４８にはフィルタ駆動モータ５４が接続されている。フィルタ駆動モータ５４は調光フィルタ１１４Ｃ、１１４Ｍ、１１４Ｙを各々独立にスライド移動させることが可能である。
【００２７】
マイクロプロセッサ４６は、図示しない電源スイッチのオンオフに連動して光源３０を点消灯させる。また、マイクロプロセッサ４６は、ラインＣＣＤ１１６によるフィルム画像の読み取り（測光）を行う際に、フィルタ駆動モータ５４によって調光フィルタ１１４Ｃ、１１４Ｍ、１１４Ｙを各々独立にスライド移動させ、ラインＣＣＤ１１６に入射される光量を各成分色光毎に調節する。
【００２８】
またモータドライバ４８には、レンズユニット４０の複数枚のレンズの位置を相対的に移動させることでレンズユニット４０のズーム倍率を変更するズーム駆動モータ７０、レンズユニット４０全体を移動させることでレンズユニット４０の結像位置を光軸に沿って移動させるレンズ駆動モータ１０６が接続されている。マイクロプロセッサ４６は、フィルム画像のサイズやトリミングを行うか否か等に応じて、ズーム駆動モータ７０によってレンズユニット４０のズーム倍率を所望の倍率に変更する。
【００２９】
一方、ラインＣＣＤ１１６にはタイミングジェネレータ７４が接続されている。タイミングジェネレータ７４は、ラインＣＣＤ１１６や後述するＡ／Ｄ変換器８２等を動作させるための各種のタイミング信号（クロック信号）を発生する。ラインＣＣＤ１１６の信号出力端は、増幅器７６を介してＡ／Ｄ変換器８２に接続されており、ラインＣＣＤ１１６から出力された信号は、増幅器７６で増幅されＡ／Ｄ変換器８２でディジタルデータに変換される。
【００３０】
Ａ／Ｄ変換器８２の出力端は、相関二重サンプリング回路（ＣＤＳ）８８を介してインタフェース（Ｉ／Ｆ）回路９０に接続されている。ＣＤＳ８８では、フィードスルー信号のレベルを表すフィードスルーデータ及び画素信号のレベルを表す画素データを各々サンプリングし、各画素毎に画素データからフィードスルーデータを減算する。そして、演算結果（各ＣＣＤセルでの蓄積電荷量に正確に対応する画素データ）を、Ｉ／Ｆ回路９０を介してスキャン画像データとして画像処理部１６へ順次出力する。
【００３１】
なお、ラインＣＣＤ１１６からはＲ、Ｇ、Ｂの測光信号が並列に出力されるので、増幅器７６、Ａ／Ｄ変換器８２、ＣＤＳ８８から成る信号処理系も３系統設けられており、Ｉ／Ｆ回路９０からは、スキャン画像データとしてＲ、Ｇ、Ｂの画像データが並列に出力される。
【００３２】
また、モータドライバ４８にはシャッタを開閉させるシャッタ駆動モータ９２が接続されている。ラインＣＣＤ１１６の暗出力については、後段の画像処理部１６で補正されるが、暗出力レベルは、フィルム画像の読み取りを行っていないときに、マイクロプロセッサ４６がシャッタを閉止させることで得ることができる。
【００３３】
（画像処理部の構成）
次に画像処理部１６の構成について図５を参照して説明する。画像処理部１６は、ラインＣＣＤスキャナ１４に対応してラインスキャナ補正部１２２が設けられている。ラインスキャナ補正部１２２は、ラインＣＣＤスキャナ１４から並列に出力されるＲ、Ｇ、Ｂの画像データに対応して、暗補正回路１２４、欠陥画素補正部１２８、及び明補正回路１３０から成る信号処理系が３系統設けられている。
【００３４】
暗補正回路１２４は、ラインＣＣＤ１１６の光入射側がシャッタにより遮光されている状態で、ラインＣＣＤスキャナ１４から入力されたデータ（ラインＣＣＤ１１６のセンシング部の各セルの暗出力レベルを表すデータ）を各セル毎に記憶しておき、ラインＣＣＤスキャナ１４から入力されたスキャン画像データから、各画素毎に対応するセルの暗出力レベルを減ずることによって補正する。
【００３５】
また、ラインＣＣＤ１１６の光電変換特性は各セル単位で濃度のばらつきもある。欠陥画素補正部１２８の後段の明補正回路１３０では、ラインＣＣＤスキャナ１４に画面全体が一定濃度の調整用のフィルム画像がセットされている状態で、ラインＣＣＤ１１６で前記調整用のフィルム画像を読み取ることによりラインＣＣＤスキャナ１４から入力された調整用のフィルム画像の画像データ（この画像データが表す各画素毎の濃度のばらつきは各セルの光電変換特性のばらつきに起因する）に基づいて各セル毎にゲインを定めておき、ラインＣＣＤスキャナ１４から入力された読取対象のフィルム画像の画像データを、各セル毎に定めたゲインに応じて各画素毎に補正する。
【００３６】
一方、調整用のフィルム画像の画像データにおいて、特定の画素の濃度が他の画素の濃度と大きく異なっていた場合には、ラインＣＣＤ１１６の前記特定の画素に対応するセルには何らかの異常があり、前記特定の画素は欠陥画素と判断できる。欠陥画素補正部１２８は調整用のフィルム画像の画像データに基づき欠陥画素のアドレスを記憶しておき、ラインＣＣＤスキャナ１４から入力された読取対象のフィルム画像の画像データのうち、欠陥画素のデータについては周囲の画素のデータから補間してデータを新たに生成する。
【００３７】
また、ラインＣＣＤ１１６は写真フィルム２２の搬送方向と直交する方向に延びた３本のライン（ＣＣＤセル列）が写真フィルム２２の搬送方向に沿って所定の間隔を空けて順に配置されているので、ラインＣＣＤスキャナ１４からＲ、Ｇ、Ｂの各成分色の画像データの出力が開始されるタイミングには時間差がある。ラインスキャナ補正部１２２には、図示しない遅延回路が設けられており、フィルム画像上で同一の画素のＲ、Ｇ、Ｂの画像データが同時に出力されるように、最も遅く出力される画像データの出力タイミングを基準として残りの２色毎に異なる遅延時間で画像データの出力タイミングの遅延を行う。
【００３８】
ラインスキャナ補正部１２２の出力端はセレクタ１３２の入力端に接続されており、補正部１２２から出力された画像データはセレクタ１３２に入力される。また、セレクタ１３２の入力端は入出力コントローラ１３４のデータ出力端にも接続されており、入出力コントローラ１３４からは、外部から入力されたファイル画像データがセレクタ１３２に入力される。セレクタ１３２の出力端は入出力コントローラ１３４、イメージプロセッサ部１３６Ａ、１３６Ｂのデータ入力端に各々接続されている。セレクタ１３２は、入力された画像データを、入出力コントローラ１３４、イメージプロセッサ部１３６Ａ、１３６Ｂの各々に選択的に出力可能とされている。
【００３９】
イメージプロセッサ部１３６Ａは、メモリコントローラ１３８、イメージプロセッサ１４０、３個のフレームメモリ１４２Ａ、１４２Ｂ、１４２Ｃを備えている。フレームメモリ１４２Ａ、１４２Ｂ、１４２Ｃは各々１フレーム分のフィルム画像の画像データを記憶可能な容量を有しており、セレクタ１３２から入力された画像データは３個のフレームメモリ１４２の何れかに記憶されるが、メモリコントローラ１３８は、入力された画像データの各画素のデータが、フレームメモリ１４２の記憶領域に一定の順序で並んで記憶されるように、画像データをフレームメモリ１４２に記憶させる際のアドレスを制御する。
【００４０】
イメージプロセッサ１４０は、フレームメモリ１４２に記憶された画像データを取込み、階調変換、色変換、画像の超低周波輝度成分の階調を圧縮するハイパートーン処理、粒状を抑制しながらシャープネスを強調するハイパーシャープネス処理等の各種の画像処理を行う。なお、上記の画像処理の処理条件は、オートセットアップエンジン１４４（後述）によって自動的に演算され、演算された処理条件に従って画像処理が行われる。イメージプロセッサ１４０は入出力コントローラ１３４に接続されており、画像処理を行った画像データは、フレームメモリ１４２に一旦記憶された後に、所定のタイミングで入出力コントローラ１３４へ出力される。なお、イメージプロセッサ部１３６Ｂは、上述したイメージプロセッサ部１３６Ａと同一の構成であるので説明を省略する。
【００４１】
ところで、本実施形態では個々のフィルム画像に対し、ラインＣＣＤスキャナ１４において異なる解像度で２回の読み取りを行う。１回目の比較的低解像度での読み取り（以下、プレスキャンという）では、フィルム画像の濃度が極端に低い場合（例えばネガフィルムにおける露光オーバのネガ画像）にも、ラインＣＣＤ１１６で蓄積電荷の飽和が生じないように決定した読取条件（写真フィルムに照射する光のＲ、Ｇ、Ｂの各波長域毎の光量、ＣＣＤの電荷蓄積時間）でフィルム画像の読み取りが行われる。このプレスキャンによって得られた画像データ（プレスキャン画像データ）は、セレクタ１３２から入出力コントローラ１３４に入力され、更に入出力コントローラ１３４に接続されたオートセットアップエンジン１４４に出力される。
【００４２】
オートセットアップエンジン１４４は、ＣＰＵ１４６、ＲＡＭ１４８（例えばＤＲＡＭ）、ＲＯＭ１５０（例えば記憶内容を書換え可能なＲＯＭ）、入出力ポート１５２を備え、これらがバス１５４を介して互いに接続されて構成されている。
【００４３】
オートセットアップエンジン１４４は、入出力コントローラ１３４から入力された複数コマ分のフィルム画像のプレスキャン画像データに基づいて、ラインＣＣＤスキャナ１４による２回目の比較的高解像度での読み取り（以下、ファインスキャンという）における光源３０の光量を決定すると共に、ファインスキャンによって得られた画像データに対する画像処理の処理条件を演算し、演算した処理条件をイメージプロセッサ部１３６のイメージプロセッサ１４０へ出力する。この画像処理の処理条件の演算では、撮影時の露光量、撮影光源種やその他の特徴量から類似のシーンを撮影した複数のフィルム画像が有るか否か判定し、類似のシーンを撮影した複数のフィルム画像が有った場合には、これらのフィルム画像のファインスキャン画像データに対する画像処理の処理条件が同一又は近似するように決定する。
【００４４】
なお、画像処理の最適な処理条件は、画像処理後の画像データを、レーザプリンタ部１８における印画紙への画像の記録に用いるのか、外部へ出力するのか等によっても変化する。画像処理部１６には２つのイメージプロセッサ部１３６Ａ、１３６Ｂが設けられているので、例えば、画像データを印画紙への画像の記録に用いると共に外部へ出力する等の場合には、オートセットアップエンジン１４４は各々の用途に最適な処理条件を各々演算し、イメージプロセッサ部１３６Ａ、１３６Ｂへ出力する。これにより、イメージプロセッサ部１３６Ａ、１３６Ｂでは、同一のファインスキャン画像データに対し、互いに異なる処理条件で画像処理が行われる。
【００４５】
更に、オートセットアップエンジン１４４は、入出力コントローラ１３４から入力されたフィルム画像のプレスキャン画像データに基づいて、レーザプリンタ部１８で印画紙に画像を記録する際のグレーバランス等を規定する画像記録用パラメータを算出し、レーザプリンタ部１８に記録用画像データ（後述）を出力する際に同時に出力する。また、オートセットアップエンジン１４４は、外部から入力されるファイル画像データに対しても、上記と同様にして画像処理の処理条件を演算する。
【００４６】
入出力コントローラ１３４はＩ／Ｆ回路１５６を介してレーザプリンタ部１８に接続されている。画像処理後の画像データを印画紙への画像の記録に用いる場合には、イメージプロセッサ部１３６で画像処理が行われた画像データは、入出力コントローラ１３４からＩ／Ｆ回路１５６を介し記録用画像データとしてレーザプリンタ部１８へ出力される。また、オートセットアップエンジン１４４はパーソナルコンピュータ１５８に接続されている。画像処理後の画像データを画像ファイルとして外部へ出力する場合には、イメージプロセッサ部１３６で画像処理が行われた画像データは、入出力コントローラ１３４からオートセットアップエンジン１４４を介してパーソナルコンピュータ１５８に出力される。
【００４７】
パーソナルコンピュータ１５８は、ＣＰＵ１６０、メモリ１６２、ディスプレイ１６４及びキーボード１６６（図２も参照）、ハードディスク１６８、ＣＤ−ＲＯＭドライバ１７０、搬送制御部１７２、拡張スロット１７４、画像圧縮／伸長部１７６を備えており、これらがバス１７８を介して互いに接続されて構成されている。搬送制御部１７２はフィルムキャリア３８に接続されており、フィルムキャリア３８による写真フィルム２２の搬送を制御する。また、フィルムキャリア３８にＡＰＳフィルムがセットされた場合には、フィルムキャリア３８がＡＰＳフィルムの磁気層から読み取った情報（例えば画像記録サイズ等）が入力される。
【００４８】
また、メモリカード等の記憶媒体に対してデータの読出し／書込みを行うドライバ（図示省略）や、他の情報処理機器と通信を行うための通信制御装置は、拡張スロット１７４を介してパーソナルコンピュータ１５８に接続される。入出力コントローラ１３４から外部への出力用の画像データが入力された場合には、前記画像データは拡張スロット１７４を介して画像ファイルとして外部（前記ドライバや通信制御装置等）に出力される。また、拡張スロット１７４を介して外部からファイル画像データが入力された場合には、入力されたファイル画像データは、オートセットアップエンジン１４４を介して入出力コントローラ１３４へ出力される。この場合、入出力コントローラ１３４では入力されたファイル画像データをセレクタ１３２へ出力する。
【００４９】
なお、画像処理部１６は、プレスキャン画像データ等をパーソナルコンピュータ１５８に出力し、ラインＣＣＤスキャナ１４で読み取られたフィルム画像をディスプレイ１６４に表示したり、印画紙に記録することで得られる画像を推定してディスプレイ１６４に表示し、キーボード１６６を介してオペレータにより画像の修正等が指示されると、これを画像処理の処理条件に反映することも可能とされている。
【００５０】
（レーザプリンタ部及びプロセッサ部の構成）
次にレーザプリンタ部１８及びプロセッサ部２０の構成について説明する。図６には、レーザプリンタ部１８の光学系の構成が示されている。レーザプリンタ部１８は、本発明の光源としてのレーザ光源２１０Ｒ、２１０Ｇ、２１０Ｂの３個のレーザ光源を備えている。レーザ光源２１０ＲはＲの波長（例えば、６８５ｎｍ）のレーザ光（以下、Ｒレーザ光と称する）を射出する半導体レーザ（ＬＤ）で構成されている。また、レーザ光源２１０Ｇは、ＬＤと、該ＬＤから射出されたレーザ光を１／２の波長のレーザ光に変換する波長変換素子（ＳＨＧ）から構成されており、ＳＨＧからＧの波長（例えば、５３２ｎｍ）のレーザ光（以下、Ｇレーザ光と称する）が射出されるようにＬＤの発振波長が定められている。同様に、レーザ光源２１０ＢもＬＤとＳＨＧから構成されており、ＳＨＧからＢの波長（例えば、４７３ｎｍ）のレーザ光（以下、Ｂレーザ光と称する）が射出されるようにＬＤの発振波長が定められている。なお、上記ＬＤに代えて固体レーザを使用してもよい。
【００５１】
レーザ光源２１０Ｒ、２１０Ｇ、２１０Ｂのレーザ光射出側には、各々コリメータレンズ２１２、変調手段としての音響光学変調素子（ＡＯＭ）２１４が順に配置されている。ＡＯＭ２１４は、各々入射されたレーザ光が音響光学媒質を透過するように配置されていると共に、各々ＡＯＭドライバ２１３（図８参照）に接続されており、ＡＯＭドライバ２１３から高周波信号が入力されると、音響光学媒質内を前記高周波信号に応じた超音波が伝搬し、音響光学媒質を透過するレーザ光に音響光学効果が作用して回折が生じ、前記高周波信号の振幅に応じた強度のレーザ光がＡＯＭ２１４から回折光として射出される。
【００５２】
ＡＯＭ２１４の各々の回折光射出側には、平面ミラー２１５が配置されており、平面ミラー２１５の各レーザ光射出側には、各々球面レンズ２１６、シリンドリカルレンズ２１７、及び偏向手段としてのポリゴンミラー２１８が順に配置されており、ＡＯＭ２１４の各々から回折光として各々射出されたＲレーザ光、Ｇレーザ光、及びＢレーザ光は、平面ミラー２１５によって反射された後、球面レンズ２１６及びシリンドリカルレンズ２１７を介してポリゴンミラー２１８の反射面上の略同一の位置に照射され、ポリゴンミラー２１８で反射される。
【００５３】
ポリゴンミラー２１８のレーザ光射出側には走査レンズとしてのｆθレンズ２２０、副走査方向にパワーを持つ面倒れ補正用のシリンドリカルレンズ２２１、シリンドリカルミラー２２２が順に配置されており、さらにシリンドリカルミラー２２２のレーザ光射出側には折り返しミラー２２３が配置されている。
【００５４】
ポリゴンミラー２１８で反射された３本のレーザ光はｆθレンズ２２０、シリンドリカルレンズ２２１を順に透過し、シリンドリカルミラー２２２によって反射された後、折り返しミラー２２３によって略鉛直下方向に反射されて開孔部２２６を介して印画紙２２４に照射される。なお、折り返しミラー２２３を省略し、シリンドリカルミラー２２２によって直接略鉛直下方向に反射して印画紙２２４に照射してもよい。
【００５５】
ｆθレンズ２２０は、Ｒレーザ光における色収差の特性とＢレーザ光における色収差の特性とを略同一とするように３群３枚のレンズで構成するように設計されており、このｆθレンズ２２０を透過させることによってＲレーザ光による印画紙２２４上の走査長とＢレーザ光による印画紙２２４上の走査長とを略同一にすることができる。すなわち、ｆθレンズ２２０はＲレーザ光及びＢレーザ光に対して略色消しされた色消レンズとして構成されている。
【００５６】
このように設計されたｆθレンズ２２０を使用しかつ各レーザ光の走査クロックの周波数を同一とすると共に、印画紙２２４上に形成される像の中心位置を一致させるように走査露光した場合の印画紙２２４上のＲレーザ光とＧレーザ光の色ずれ量及びＢレーザ光とＧレーザ光の色ずれ量は、共に図７に示すように、光軸から右方向に離れるに従って大きくなり、左方向に離れるに従って小さくなる。すなわち、上記各色ずれ量の絶対値は、光軸から離れるに従って大きくなっている。
【００５７】
一方、印画紙２２４上の走査露光開始位置側方近傍には、開孔部２２６を介して到達したＲレーザ光を検出する走査開始検出センサ（以下、ＳＯＳ検出センサと称する）２２８が配置されている。なお、ＳＯＳ検出センサ２２８で検出するレーザ光をＲレーザ光とするのは、印画紙はＲの感度が最も低く、このためＲレーザ光の光量が最も大きくされているので確実に検出できること、ポリゴンミラー２１８の回転による走査においてＲレーザ光が最も早くＳＯＳ検出センサ２２８に到達すること、等の理由からである。また、本実施形態では、ＳＯＳ検出センサ２２８から出力される信号（以下、センサ出力信号と称する）は、通常はローレベルとされており、Ｒレーザ光が検出されたときのみハイレベルとなるように構成されている。
【００５８】
図８にはレーザプリンタ部１８及びプロセッサ部２０の電気系の概略構成が示されている。レーザプリンタ部１８は画像データを記憶するフレームメモリ２３０を備えている。フレームメモリ２３０はＩ／Ｆ回路２３２を介して画像処理部１６に接続されており、画像処理部１６から入力された記録用画像データ（印画紙２２４に記録すべき画像の各画素毎のＲ、Ｇ、Ｂ濃度を表す画像データ）はＩ／Ｆ回路２３２を介してフレームメモリ２３０に一旦記憶される。フレームメモリ２３０はＤ／Ａ変換器２３４を介して露光部２３６に接続されると共に、プリンタ部制御回路２３８に接続されている。
【００５９】
露光部２３６は、前述のようにＬＤ（及びＳＨＧ）から成るレーザ光源２１０を３個備えると共に、ＡＯＭ２１４及びＡＯＭドライバ２１３も３系統備えており、ポリゴンミラー２１８、ポリゴンミラー２１８を回転させるモータを備えた主走査ユニット２４０が設けられている。露光部２３６はプリンタ部制御回路２３８に接続されており、プリンタ部制御回路２３８によって各部の動作が制御される。
【００６０】
プリンタ部制御回路２３８は、印画紙２２４上の走査露光のタイミングを示す信号を生成する露光タイミング生成部３００（図９参照）を備えている。露光タイミング生成部３００には、Ｇレーザ光の走査クロック（以下、Ｇ用走査クロックと称する）を生成するＧ用発振器３０２と、Ｒレーザ光及びＢレーザ光の共通の走査クロック（以下、ＲＢ用走査クロックと称する）を生成するＲＢ用発振器３０４を備えている。
【００６１】
Ｇ用発振器３０２のクロック信号の出力端は、ＳＯＳ検出センサ２２８が接続されたカウンタ３０６に接続されており、ＲＢ用発振器３０４のクロック信号の出力端は、ＳＯＳ検出センサ２２８が共に接続されたカウンタ３０８、及びカウンタ３１０に接続されている。なお、カウンタ３０６では、ＳＯＳ検出センサ２２８からの信号及びＧ用発振器３０２からの走査クロックに基づいて、Ｇレーザ光による像書込み期間を示す信号（以下、Ｇ像書込期間信号と称する）を生成する。また、カウンタ３０８、及びカウンタ３１０では、ＳＯＳ検出センサ２２８からの信号及びＲＢ用発振器３０４からの走査クロックに基づいて、各々Ｒレーザ光による像書込み期間を示す信号（以下、Ｒ像書込期間信号と称する）、及びＢレーザ光による像書込み期間を示す信号（以下、Ｂ像書込期間信号と称する）を生成する。
【００６２】
なお、ＲＢ用発振器３０４により生成される走査クロックの周波数ｆＲＢは、Ｇ用発振器３０２により生成される走査クロックの周波数ｆＧ  （例えば、１２ＭＨｚ）を基準として、次の（１）式により定められている。
【００６３】
ｆＲＢ＝ｆＧ  ／０．９９９７３                            （１）
なお、この（１）式は次のように導出された計算式である。
【００６４】
すなわち、上述のように、Ｒ、Ｇ、Ｂ各々のレーザ光を同一周波数の走査クロックにより印画紙２２４上を走査露光したときのＲレーザ光とＧレーザ光の色ずれ量及びＢレーザ光とＧレーザ光の色ずれ量の絶対値は、共に光軸から離れるに従って大きくなる。これは、ｆθレンズの色収差によりＲレーザ光及びＢレーザ光の印画紙２２４上の走査長と、Ｇレーザ光の印画紙２２４上の走査長とが、同じ走査角では異なることに起因しており、従って各走査長を略同一とすることにより、このような色ずれを防ぐことができる。そこで、各走査長を略同一とするために、Ｇレーザ光の走査クロックの周波数ｆＧ  を基準としてＲレーザ光及びＢレーザ光の走査クロックの周波数ｆＲＢを設定することとした。なお、Ｒレーザ光及びＢレーザ光については略色消しされているので、走査長は略同一になる。
【００６５】
この際、本実施形態のレーザプリンタ部１８においては、上記（１）式を適用して周波数ｆＲＢを設定すると共に、上記ＳＯＳ検出センサ２２８によりＲレーザ光を検出したタイミングに基づいて各レーザ光の走査位置を一致させたとき、図１０に示すように、Ｒレーザ光とＧレーザ光の色ずれ量及びＢレーザ光とＧレーザ光の色ずれ量を双方とも平均的に小さくできることが計算機シミュレーションにより判明していることから、上記（１）式を用いることとした。従って、（１）式における定数０．９９９７３は一例であり、適用される光学系の諸条件等により適宜変更されるものである。なお、上記Ｇ用発振器３０２及びＲＢ用発振器３０４が、本発明のクロック生成手段に相当する。
【００６６】
一方、プリンタ部制御回路２３８にはプリンタ部ドライバ２４２（図８参照）が接続されており、プリンタ部ドライバ２４２には、露光部２３６に対して送風するファン２４４、レーザプリンタ部に装填されたマガジンに収納されている印画紙をマガジンから引き出すためのマガジンモータ２４６が接続されている。また、プリンタ部制御回路２３８には、印画紙２２４の裏面に文字等をプリントするバックプリント部２４８が接続されている。これらのファン２４４、マガジンモータ２４６、バックプリント部２４８はプリンタ部制御回路２３８によって作動が制御される。
【００６７】
また、プリンタ部制御回路２３８には、未露光の印画紙２２４が収納されるマガジンの着脱及びマガジンに収納されている印画紙のサイズを検出するマガジンセンサ２５０、オペレータが各種の指示を入力するための操作盤２５２（図２も参照）、プロセッサ部２０で現像等の処理が行われて可視化された画像の濃度を測定する濃度計２５４、プロセッサ部２０のプロセッサ部制御回路２５６が接続されている。
【００６８】
プロセッサ部制御回路２５６には、プロセッサ部２０の機体内の印画紙搬送経路を搬送される印画紙２２４の通過の検出や、処理槽内に貯留されている各種の処理液の液面位置の検出等を行う各種センサ２５８が接続されている。
【００６９】
また、プロセッサ部制御回路２５６には、現像等の処理が完了して機体外に排出された印画紙を所定のグループ毎に仕分けするソータ２６０（図２参照）、処理槽内に補充液を補充する補充システム２６２、ローラ等の洗浄を行う自動洗浄システム２６４が接続されていると共に、プロセッサ部ドライバ２６６を介して、各種ポンプ／ソレノイド２６８が接続されている。これらのソータ２６０、補充システム２６２、自動洗浄システム２６４、及び各種ポンプ／ソレノイド２６８はプロセッサ部制御回路２５６によって作動が制御される。
次に、印画紙２２４への画像の記録を行う場合のプリンタ部制御回路２３８の作用を図１１のタイムチャートを参照して説明する。なお、ディジタルラボシステム１０の電源投入によって、Ｇ用発振器３０２及びＲＢ用発振器３０４（図９も参照）の発振が開始され、図１１に示すように、Ｇ用走査クロックのカウンタ３０６への出力が開始されると共に、ＲＢ用走査クロックのカウンタ３０８、及びカウンタ３１０への出力が開始される。
【００７０】
この状態において印画紙２２４への画像の記録を行う場合、プリンタ部制御回路２３８は、画像処理部１６から入力された画像記録用パラメータに基づき、記録用画像データに対して各種の補正を行って走査露光用画像データを生成し、フレームメモリ２３０に記憶させる。そして、露光部２３６のポリゴンミラー２１８を図６矢印Ａ方向に回転させ、レーザ光源２１０Ｒ、２１０Ｇ、２１０Ｂからレーザ光を射出させる。
【００７１】
この状態で、ＳＯＳ検出センサ２２８によりＲレーザ光が検出されてセンサ出力信号がハイレベルになると、カウンタ３０８では、センサ出力信号の立ち上がり時から、Ｒレーザ光がＳＯＳ検出センサ２２８のレーザ光検出位置から印画紙２２４の走査露光開始位置に達するまでの時間ｔ０  に相当するパルス数分、ＲＢ用走査クロックをカウントし、カウントが満了した時点をＲ像書込期間の開始時とし、さらに該Ｒ像書込期間の開始時から、１ラインの画素数分、ＲＢ用走査クロックをカウントし、カウントが満了した時点をＲ像書込期間の終了時とするＲ像書込期間信号を生成する。なお、本実施形態では、図１１に示すように、Ｒ像書込期間信号におけるＲ像書込期間をハイレベルとし、それ以外の期間をローレベルとする。
【００７２】
プリンタ部制御回路２３８では、カウンタ３０８により生成されたＲ像書込期間信号がハイレベルである期間内において、ＲＢ用走査クロックに同期してＲの走査露光用画像データをフレームメモリ２３０からＤ／Ａ変換器２３４を介して露光部２３６におけるＡＯＭドライバ２１３へ出力させる。これにより、Ｒの走査露光用画像データがアナログ信号に変換されてＡＯＭドライバ２１３に入力される。
【００７３】
また、カウンタ３０６では、センサ出力信号の立ち上がり時から上記時間ｔ０  に相当するパルス数分、Ｇ用走査クロックをカウントした後、Ｒレーザ光による走査露光開始位置にＧレーザ光が到達するまでの時間ｔ１  に相当するパルス数分、Ｇ用走査クロックをカウントし、カウントが満了した時点をＧ像書込期間の開始時とし、さらに該Ｇ像書込期間の開始時から、１ラインの画素数分、Ｇ用走査クロックをカウントし、カウントが満了した時点をＧ像書込期間の終了時とするＧ像書込期間信号を生成する。なお、本実施形態では、図１１に示すように、Ｇ像書込期間信号におけるＧ像書込期間をハイレベルとし、それ以外の期間をローレベルとする。
【００７４】
プリンタ部制御回路２３８では、カウンタ３０６により生成されたＧ像書込期間信号がハイレベルである期間内において、Ｇ用走査クロックに同期してＧの走査露光用画像データをフレームメモリ２３０からＤ／Ａ変換器２３４を介して露光部２３６におけるＡＯＭドライバ２１３へ出力させる。これにより、Ｇの走査露光用画像データがアナログ信号に変換されてＡＯＭドライバ２１３に入力される。
【００７５】
一方、カウンタ３１０では、センサ出力信号の立ち上がり時から上記時間ｔ０  に相当するパルス数分、及び上記時間ｔ１  に相当するパルス数分、ＲＢ用走査クロックをカウントし、さらにＧレーザ光による走査露光開始位置にＢレーザ光が到達するまでの時間ｔ２  に相当するパルス数分、ＲＢ用走査クロックをカウントし、カウントが満了した時点をＢ像書込期間の開始時とし、さらに該Ｂ像書込期間の開始時から、１ラインの画素数分、ＲＢ用走査クロックをカウントし、カウントが満了した時点をＢ像書込期間の終了時とするＢ像書込期間信号を生成する。なお、本実施形態では、図１１に示すように、Ｂ像書込期間信号におけるＢ像書込期間をハイレベルとし、それ以外の期間をローレベルとする。
【００７６】
プリンタ部制御回路２３８では、カウンタ３１０により生成されたＢ像書込期間信号がハイレベルである期間内において、ＲＢ用走査クロックに同期してＢの走査露光用画像データをフレームメモリ２３０からＤ／Ａ変換器２３４を介して露光部２３６におけるＡＯＭドライバ２１３へ出力させる。これにより、Ｂの走査露光用画像データがアナログ信号に変換されてＡＯＭドライバ２１３に入力される。
【００７７】
このように、Ｒ、Ｇ、Ｂ各色のレーザ光による像書込期間を設定することにより、Ｒ、Ｇ、Ｂ各レーザ光による走査露光開始位置を一致させることができる。
【００７８】
以上のようにＲ、Ｇ、Ｂ各々の走査露光用画像データがＡＯＭドライバ２１３に入力されると、ＡＯＭドライバ２１３は、入力された各アナログ信号のレベルに応じてＡＯＭ２１４に供給する超音波信号の振幅を変化させ、ＡＯＭ２１４から回折光として射出されるレーザ光の強度をアナログ信号のレベル（すなわち、印画紙２２４に記録すべき画像の各画素のＲ濃度及びＧ濃度及びＢ濃度の何れか）に応じて変調する。従って、３個のＡＯＭ２１４からは印画紙２２４に記録すべき画像のＲ、Ｇ、Ｂ濃度に応じて強度変調されたＲ、Ｇ、Ｂのレーザ光が射出され、これらのレーザ光は平面ミラー２１５、球面レンズ２１６、シリンドリカルレンズ２１７、ポリゴンミラー２１８、ｆθレンズ２２０、シリンドリカルレンズ２２１、シリンドリカルミラー２２２、及び折り返しミラー２２３を介して印画紙２２４に照射される。
【００７９】
そして、ポリゴンミラー２１８の図６矢印Ａ方向の回転に伴って各レーザ光の照射位置が図６矢印Ｂ方向に沿って走査されることにより主走査が成され、印画紙２２４が図６矢印Ｃ方向に沿って一定速度で搬送されることによりレーザ光の副走査が成され、走査露光によって印画紙２２４に画像が記録される。走査露光によって画像が記録された印画紙２２４はプロセッサ部２０へ送り込まれ、発色現像、漂白定着、水洗、乾燥の各処理が施される。これにより、印画紙２２４上に画像が形成される。
【００８０】
以上詳細に説明したように、本実施形態に係る画像露光装置は、Ｒレーザ光及びＢレーザ光のみの色収差の特性を略同一とするようにｆθレンズ２２０を設計して適用することによりＲレーザ光による走査長とＢレーザ光による走査長とを略同一とし、さらに該Ｒレーザ光及びＢレーザ光の走査長と、Ｇレーザ光の走査長とを略同一とするように、Ｒレーザ光及びＢレーザ光の走査クロックの周波数と、Ｇレーザ光の走査クロックの周波数とを決定することにより、簡易に全てのレーザ光の走査長を略同一としているので、各レーザ光毎に画素を書込む時間間隔を調整する場合及びＲ、Ｇ、Ｂの３色全てのレーザ光の色収差を補正する色消レンズを製作して適用する場合に比較して、低コストに色ずれの発生を防止することができる。
【００８１】
なお、本実施形態では、ＡＯＭによりレーザ光の強度変調を行う場合について説明したが、本発明はこれに限定されるものではなく、例えばＡＯＭに代えて、電気光学変調素子（ＥＯＭ）、磁気光学変調素子（ＭＯＭ）を適用してレーザ光の強度変調を行う形態としてもよいし、レーザ光を直接変調する形態としてもよい。
【００８２】
また、本実施形態では、Ｒ、Ｇ、Ｂ各レーザ光の印画紙２２４上の走査露光開始位置を一致させるように走査露光のタイミングを制御する場合について説明したが、本発明はこれに限定されるものではなく、Ｒ、Ｇ、Ｂ各レーザ光による印画紙２２４上の若干の走査長の差を考慮して、各レーザ光による走査露光の開始位置を調整することにより、各レーザ光により形成される像の中心位置を完全に一致させるように走査露光のタイミングを制御する形態としてもよい。この場合、本実施形態と比較して、色ずれ量の最大値を小さくすることができるので、より高品質の画像を得ることができる。
【００８３】
また、本実施形態では、ＲＢ用発振器３０４により生成される走査クロックの周波数ｆＲＢを（１）式を用いて設定する場合について説明したが、本発明はこれに限定されるものではなく、ＶＣＯ等を用いて周波数ｆＲＢを可変としておき、実際に所定画像データの色ずれ量を測定し、該色ずれ量が平均的に小さくなるように周波数ｆＲＢを調整する形態としてもよい。
【００８４】
〔その他の実施形態〕
次に本発明の他の実施の形態について説明する。なお、本実施形態におけるレーザプリンタ部１８以外の部分の構成、及び動作については上記実施形態と同様であるので説明を省略する。
【００８５】
図１２に示すように、本実施形態のレーザプリンタ部１８は、図６に示した上記実施形態のレーザプリンタ部に比較して、平面ミラー２１５がＡＯＭ２１４から射出されたＲ、Ｇ、Ｂ各々の回折光に対応して設けられたミラー２１５Ｒ、２１５Ｇ、２１５Ｂとされている点、シリンドリカルミラー２２２が平面ミラー２２２Ａとされている点、及び折り返しミラー２２３によるレーザ光の射出方法が略鉛直下方向でなく、略水平方向とされている点が相違している。
【００８６】
従って、本実施形態においては、印画紙２２４は、走査露光面が折り返しミラー２２３からのレーザ光の射出方向に対応するように位置決めされ、ポリゴンミラー２１８の図１２矢印Ａ方向の回転に伴って各レーザ光の照射位置が図１２矢印Ｂ方向に沿って走査されることにより主走査され、印画紙２２４が図１２矢印Ｃ方向に沿って一定速度で搬送されることによりレーザ光の副走査が成され、走査露光によって印画紙２２４に画像が記録される。
【００８７】
このような構成のレーザプリンタ部１８を用いた画像露光装置においても上記実施形態と同様に、ｆθレンズ２２０をＲレーザ光及びＢレーザ光の色収差の特性を略同一とするように設計して適用すると共に、Ｒレーザ光及びＢレーザ光の走査長と、Ｇレーザ光の走査長とを略同一とするように、Ｒレーザ光及びＢレーザ光の走査クロックの周波数と、Ｇレーザ光の走査クロックの周波数とを決定することにより、簡易に全てのレーザ光の走査長を略同一としているので、各レーザ光毎に画素を書込む時間間隔を調整する場合及びＲ、Ｇ、Ｂの３色全てのレーザ光の色収差を補正する色消レンズを製作して適用する場合に比較して、低コストに色ずれの発生を防止することができる。
【００８８】
【発明の効果】
請求項１乃至請求項３の何れか１項記載の画像露光装置によれば、２種類の射出光の色収差の特性が略同一とされた走査レンズによって該２種類の射出光の露光面での走査長が略同一とされ、さらに該２種類の射出光用の走査クロックと該２種類以外の射出光用の走査クロックとの各々の周波数が、該２種類の射出光と該２種類以外の射出光との露光面における走査長が略同一となるように決定されることにより、簡易に全ての射出光の露光面での走査長が略同一とされるので、各レーザ光毎に画素を書込む時間間隔を調整する場合及びＲ、Ｇ、Ｂの３色全てのレーザ光の色収差を補正する色消レンズを製作して適用する場合に比較して、低コストに色ずれの発生を防止することができる、という効果が得られる。
【図面の簡単な説明】
【図１】本実施形態に係るディジタルラボシステムの概略ブロック図である。
【図２】ディジタルラボシステムの外観図である。
【図３】ラインＣＣＤスキャナの光学系の概略構成図である。
【図４】ラインＣＣＤスキャナの電気系の概略構成を示すブロック図である。
【図５】画像処理部の概略構成を示すブロック図である。
【図６】レーザプリンタ部の光学系の概略構成図である。
【図７】走査クロックの周波数を共通とした場合の、Ｒレーザ光とＧレーザ光の色ずれ量、及びＢレーザ光とＧレーザ光の色ずれ量を示すグラフである。
【図８】レーザプリンタ部及びプロセッサ部の電気系の概略構成を示すブロック図である。
【図９】プリンタ部制御回路における露光タイミング生成器の概略構成を示すブロック図である。
【図１０】Ｇレーザ光の走査クロックの周波数を基準としてＲレーザ光及びＢレーザ光の走査クロックの周波数を（１）式により設定した場合の、Ｒレーザ光とＧレーザ光の色ずれ量、及びＢレーザ光とＧレーザ光の色ずれ量を示すグラフである。
【図１１】プリンタ部制御回路の動作の説明に用いるタイムチャートである。
【図１２】レーザプリンタ部の別の光学系の概略構成図である。
【符号の説明】
１８    レーザプリンタ部（画像露光装置）
２１０Ｒ、２１０Ｇ、２１０Ｂレーザ光源（光源）
２１４    音響光学変調素子（変調手段）
２１８    ポリゴンミラー（偏向手段）
２２０    ｆθレンズ（走査レンズ）
３０２    Ｇ用発振器（クロック生成手段）
３０４    ＲＢ用発振器（クロック生成手段）
【図１】
0003618521.tif 000002
【図２】
0003618521.tif 000003
【図３】
0003618521.tif 000004
【図４】
0003618521.tif 000005
【図５】
0003618521.tif 000006
【図６】
0003618521.tif 000007
【図７】
0003618521.tif 000008
【図８】
0003618521.tif 000009
【図９】
0003618521.tif 000010
【図１０】
0003618521.tif 000011
【図１１】
0003618521.tif 000012
【図１２】
0003618521.tif 000013